(57)【要約】　　　（修正有）【課題】磁石の持つ磁器エネルギーを利用し、連続的な機械的回転エネルギーを生じさせる方法とその装置の提供にある。【解決手段】コアの柱面部に装着した第１磁石と半径方向且つ回転軸方向に第２磁石を有して多角形の反発型磁気回路を構成し磁極間の磁気抵抗を高め歯車を備えた回転子３３を、円盤の中心に出力回転軸１２が貫通固定してありその円盤に回転子を備えた回転体３１と、可動盤２１の中央の穴に下部固定盤１１に固定してある円筒状の固定歯車１４が貫き可動盤上に縦磁石と横磁石を有し多角形の反発型磁気回路を構成し磁極間の磁気抵抗を高めた固定磁石２２を有し、回転子歯車と固定歯車とで、回転子磁石と固定磁石とが磁気抵抗が高まるように回転子磁極間でずれ分を生じさせ噛合し、固定磁石２２と回転子３３磁石の噛合近傍磁界において相互間の磁気抵抗を低下させる方向へ磁気力が作用せしめる回転装置。【効果】【選択図】　　図１
2004129353.tif 000002
【特許請求の範囲】
【請求項１】
中心部に回転軸を有し円柱状又は角柱状の磁性体または非磁性体のコア柱面部上に接線方向に一定の間隔を有し且つ回転軸方向に沿って設けられた第１磁石用面と、前記第１磁石用面間に占位し半径方向且つ回転軸方向に沿って設けられた第２磁石用溝とを有し、磁極の方向が前記コアの表面方向に沿い且つ前記コアの表面部の磁極が隣同士相異なるようにして前記第１磁石用面に装着した磁石である第１磁石と、磁極の方向が前記コアの接線方向に沿い且つ一方の磁極と、この一方側に占位する磁極とが同極となるようにして、且つ第１磁石のコア表面部の磁極と同極となる様に前記第２磁石用溝に嵌装した磁石である第２磁石とを備えて、多角形状の反発型磁気回路を構成して磁極間の磁気抵抗を高め、回転軸またはコアに歯車を備えた回転子を、円盤で中心に出力回転軸が貫通して固定してあり前記円盤の中心から放射状に延びた所定の位置に且つ接線方向に一定間隔を有し、一個または一個以上の回転子を各々回転子歯車側の回転軸を前記円板の中心であるところの出力回転軸方向へ向けて、ベアリング及びベアリングホルダーを介して円盤へ備えたところの回転体と、平面状のベースにて中央に円形状の穴を有し、前記穴の円周方向へ等間隔に穴の中心から放射方向に配列され磁極方向がベースの上面方向に向かい且つ隣同士相異なるようベース上に横に装着されたところの横磁石と、そのベースと横磁石間にヨーク又は非磁性体からなるスペーサーまたは空隙を有し、前記横磁石間に占位し且つ磁極が互いに対向するよう同極とし、且つ前記横磁石の上面方向の磁極と同極としてベース上に立設したところの縦磁石とを有して多角形状の反発型磁気回路を構成し磁極間の磁気抵抗を高めた固定磁石を有し、前記ベースの四隅に下部固定盤に固定されている支柱にこのベースが上方、下方されるためのリニアブッシュと、べースの一角にボールネジと対である所のナットを有して装着され、さらに支柱は上方へ延び上部固定盤に固定され、上部固定盤に有するハンドルとボールネジが連結され、ハンドルが回転されることにより上方へ、下方へ移動されるところの可動盤と、前記可動盤の中央に設けられてある穴に、下部固定盤に固定された円筒状が下方から延びてその円筒状の上部へ歯車を有したところの固定歯車が貫通されており、尚且つ、この固定歯車の中心には下部固定盤中央のベアリングホルダーから上方へ回転出力軸が貫通されて上部固定盤中央のベアリングホルダーへ延びて回転自在に固定されており、前記回転体の回転子歯車と可動盤の固定歯車とで、回転子磁石と固定磁石が互いに磁気抵抗が高まるように回転子磁極間のずれ分を生じさせ噛合させ、上部固定盤のハンドルを回しボールネジを回転されることにより可動盤の固定磁石と回転体の回転子磁石との磁界が遠近される、よって可動盤を回転体に備えてるところの回転子へ近ずけると、可動盤の固定磁石と回転子磁石の噛合近傍磁界において相互間の磁気抵抗を低下させる方向に磁気力が作用し、そのずれ分を修正しようと回転子自体が固定歯車を転回する。固定磁石および回転子磁石の磁極が隣同士相異なるように備えてあり、回転子は固定磁石の磁力線に沿って固定歯車を転回しながら磁極が変わる、また常に固定磁石と回転子磁石とが、回転子磁極間のずれ分が生じるよう各々の磁極配列を有し、回転子歯車と固定歯車とで同期されているため回転子自体は連続して固定歯車を、固定磁石の磁力線に沿って転回され回転体も回転される、よって回転体に固定されている出力回転軸も回転されることを特徴とする磁石による連続回転装置。
【請求項２】
回転子歯車と固定歯車とで、回転子磁石と固定磁石が互いに磁気抵抗が高まるように回転子磁極間のずれ分を生じさせ噛合させると、噛合近傍磁界において相互間の磁気抵抗を低下させる方向へ磁気力が作用し、そのずれ分を修正しようと回転子自体が固定磁石の磁力線に沿って固定歯車を転回する。固定磁石および回転子磁石の磁極が隣同士相異なるように有し、回転子は固定磁石の磁力線に沿って固定歯車を転回しながら磁極が変わる、常に固定磁石と回転子磁石の磁極間のずれ分が生じるているため回転子自体は連続して固定歯車を、固定磁石の磁力線に沿って転回される連続回転発生方法。
【請求項３】
回転子歯車と固定歯車とで、回転子磁石と固定磁石が互いに磁気抵抗が高まるように回転子磁極間のずれ分を生じさせ噛合させ、固定磁石を回転子に近ずけたり遠ざけたり移動することにより固定磁石と、回転子磁石との磁界が遠近されて、回転子自体およびそれに連結されている回転体および出力回転軸の回転始動、回転速度可変、回転停止される方法。
【請求項４】
請求項１に記載する磁石による連続回転装置の回転子において、非磁性体からなる対の円板と、中心部に非磁性体からなる回転軸を有し且つ回転軸に固定された歯車を備え、前記対の円板の対向面に、中心部から放射方向に且つ半径方向に設けられた第２磁石用凹溝を有し、磁極の方向が前記円板の接線方向に沿い且つ一方の磁極とこの一方側に占位する磁極とが同極となるようにし、前記第２磁石凹溝に嵌装した磁石であるところの第２磁石と、前記第２磁石間に且つ回転軸方向に沿って三角柱状等のヨークを設け、その表面上の面へ磁極を前記第２磁石の磁極と周縁部外方向に同極とし且つ隣同士相異なるようにして第１磁石を装着し、三角形状の反発型磁気回路を形成して磁束の磁路を短くして磁極間の磁気抵抗を高め、且つヨーク以外非磁性体で構成し漏れ磁束の少ない回転子に変えたとことを特徴とする磁石による連続回転装置。
【請求項５】
請求項１、４に記載する磁石による連続回転装置の回転子において、回転子の第２磁石をくさび形状に施して磁束を増し、回転子歯車と固定歯車とで、回転子磁石と固定磁石の噛合近傍磁界において相互間の磁気抵抗を高めた回転子に変えたことを特徴とする磁石による連続回転装置。
【請求項６】
請求項１、４、５に記載する磁石による連続回転装置の回転子において、回転子が可動盤の固定歯車を回転した場合、固定磁石は円形状に配列を有し、固定磁石の基端の内円であるところの円周と固定磁石の先端の外円であるところの円周が異なるため、回転子自体にテーパーを施して磁束を増し、回転子歯車と固定歯車とで、回転子磁石と固定磁石の噛合近傍磁界において相互間の磁気抵抗を高めた回転子に変えたことを特徴とする磁石による連続回転装置。
【請求項７】
請求項１、４、５、６に記載する磁石による連続回転装置の回転子において、回転子の第１磁石及び第２磁石を回転軸方向へ斜めに装着、嵌装してスキューをかけた回転子を有して回転子歯車と固定歯車とで、回転子磁石と固定磁石の噛合近傍磁界において固定磁石に対して、回転子磁石が斜めに有しているため、その回転発生の磁気力が長く作用され、回転子への回転変動、及び回転速度の周期的変動を軽滅した回転子に変えたことを特徴とする磁石による連続回転装置。
【請求項８】
請求項１、４、５、６、７に記載する磁石における連続回転装置の可動盤において、可動盤の固定磁石の縦磁石を、三角柱状等のヨークまたは非磁性体のスペーサーを有し板状またはくさび状の磁石を備え、且つ横磁石の下部へ三角柱状等のヨークまたは非磁性体のスペーサーを有して、三角形状の反発磁気回路を有して磁束の磁路を短くして磁極間の磁気抵抗を高めた可動盤に変えたことを特徴とする磁石による連続回転装置。
【請求項９】
請求項１、４、５、６、７に記載する磁石における連続回転装置の可動盤において、可動盤の固定磁石の横磁石下方のヨークまたは非磁性体からなるスペーサーまたは空隙の下部へ、前記横磁石表面磁極と同磁極を上方向にした第２横磁石を設け、隣同士縦磁石の同磁極とで三方向から同極磁極を有して多角形の反発磁気回路を構成し磁極間の磁気抵抗を高めた可動盤に変えたことを特徴とする磁石による連続回転装置。
【請求項１０】
請求項１、４、５、６、７、８、９に記載する磁石における連続回転装置の可動盤において、可動盤の固定磁石の横磁石及び縦磁石を可動盤中心方向へ斜めに配置してスキューをかけ、回転子歯車と固定歯車とで、回転子磁石と固定磁石の噛合近傍磁界において固定磁石が斜めに有しているため、その回転発生の磁気力が長く作用され、回転子への回転変動、及び回転速度の周期的変動の軽滅した可動盤に変えたことを特徴とする磁石による連続回転装置。
【請求項１１】
請求項１、４、５、６、７、８、９、１０に記載する磁石における連続回転装置の回転体において、回転体の回転盤をフライホールに変え回転子を備え、回転エネルギーの貯蔵される回転体に変えたことを特徴とする磁石による連続回転装置。
【請求項１２】
請求項１、４、５、６、７、８、９、１０、１１に記載する磁石における連続回転装置において、出力回転軸を延ばし、固定歯車、可動盤、回転体を多段に重ねて、出力回転の増大されることを特徴とする磁石による連続回転装置。
【発明の詳細な説明】
【０００１】
【発明の属する技術分野】
本発明は、磁石の磁気エネルギーを利用し機械的な連続回転エネルギーを生じされる、磁石による連続回転装置に関するものである。
【０００２】
【従来の技術】
現在のエネルギー源は主に化学エネルギー、原子力エネルギー、太陽エネルギーなどがあり、化学エネルギーは石炭、石油、天然ガス燃料が主であるが、燃焼で排出されるガスが気候を変え居住性を脅かす環境悪化がある。二酸化炭素などの温室効果ガスの大気中濃度増加を原因とする地球温暖化の問題もある。原子力エネルギーは地球温暖化阻止する援軍ではあるが、限られたウラン資源、低効率な軽水炉及び安全性、廃棄物問題、事故のリスクなどがある。太陽光エネルギーは風力、バイオマス、太陽電池、水素エネルギーなどがあるが、水力発電はダムにより広大な土地が水没し、ダムの決壊する危険、生態系に及ぼす影響などの問題がある。バイオマスは木材その他の植物性物質からアルコール燃料と電力を作ることができる、燃やすと二酸化炭素が出る。水素エネルギーは水を電気分解し酸素と水素ガスにし、圧縮した水素ガスをパイプラインで運んで利用としているもので、燃えると汚染物質として窒素酸化物がある。風力は太陽エネルギーを機械エネルギーに転換したもので、これから電気エネルギーに転換するのが主でり、太陽電池と共に環境にやさしいクリーンエネルギーとして近年利用されている。
【０００３】
【発明が解決しようとする課題】
しかしながら、エネルギー転換の過程において上述したように多くの問題があり、クリーンエネルギーを利用したものは自然環境に左右され、またエネルギー転換装置が一般に大型であり移動に適さない。また、ますます人々のエネルギー消費が伸びていく今日、安価にして環境汚染のない代替エネルギーの開発とエネルギーの効率化が急がれている。
【０００４】
本発明は、磁石はそれ自身磁気エネルギーを保有するので、外部からのエネルギー供給は不要でありその磁気エネルギーを持つ磁石を組合せ連続的な機械的回転エネルギーに変換されるもので、他のエネルギーを必要とせず、よって自然環境に左右されず環境汚染のない移動可能な機械的回転エネルギーとして磁石による連続回転装置を提供することにある。
【０００５】
【課題を解決するための手段】
中心部に回転軸を有し円柱状又は角柱状の磁性体または非磁性体のコア柱面部上に接線方向に一定の間隔を有し且つ回転軸方向に沿って設けられた第１磁石用面と、前記第１磁石用面間に占位し半径方向且つ回転軸方向に沿って設けられた第２磁石用溝とを有し、磁極の方向が前記コアの表面方向に沿い且つ前記コアの表面部の磁極が隣同士相異なるようにして前記第１磁石用面に装着した磁石である第１磁石と、磁極の方向が前記コアの接線方向に沿い且つ一方の磁極と、この一方側に占位する磁極とが同極となるようにして、且つ第１磁石のコア表面部の磁極と同極となる様に前記第２磁石用溝に嵌装した磁石である第２磁石とを備えて、多角形状の反発型磁気回路を構成して磁極間の磁気抵抗を高め、回転軸またはコアに歯車を備えた回転子を、円盤で中心に出力回転軸が貫通して固定してあり前記円盤の中心から放射状に延びた所定の位置に且つ接線方向に一定間隔を有し、一個または一個以上の回転子を各々回転子歯車側の回転軸を前記円板の中心であるところの出力回転軸方向へ向けて、ベアリング及びベアリングホルダーを介して円盤へ備えたところの回転体と、平面状のベースにて中央に円形状の穴を有し、前記穴の円周方向へ等間隔に穴の中心から放射方向に配列され磁極方向がベースの上面方向に向かい且つ隣同士相異なるようベース上に横に装着されたところの横磁石と、そのベースと横磁石間にヨーク又は非磁性体からなるスペーサーまたは空隙を有し、前記横磁石間に占位し且つ磁極が互いに対向するよう同極とし、且つ前記横磁石の上面方向の磁極と同極としてベース上に立設したところの縦磁石とを有して多角形状の反発型磁気回路を構成し磁極間の磁気抵抗を高めた固定磁石を有し、前記ベースの四隅に下部固定盤に固定されている支柱にこのベースが上方、下方されるためのリニアブッシュと、べースの一角にボールネジと対である所のナットを有して装着され、さらに支柱は上方へ延び上部固定盤に固定され、上部固定盤に有するハンドルとボールネジが連結され、ハンドルが回転されることにより上方へ、下方へ移動されるところの可動盤と、前記可動盤の中央に設けられてある穴に、下部固定盤に固定された円筒状が下方から延びてその円筒状の上部へ歯車を有したところの固定歯車が貫通されており、尚且つ、この固定歯車の中心には下部固定盤中央のベアリングホルダーから上方へ回転出力軸が貫通されて上部固定盤中央のベアリングホルダーへ延びて回転自在に固定されており、前記回転体の回転子歯車と可動盤の固定歯車とで、回転子磁石と固定磁石が互いに磁気抵抗が高まるように回転子磁極間のずれ分を生じさせ噛合させ、上部固定盤のハンドルを回しボールネジを回転されることにより可動盤の固定磁石と回転体の回転子磁石との磁界が遠近される、よって可動盤を回転体に備えてるところの回転子へ近ずけると、可動盤の固定磁石と回転子磁石の噛合近傍磁界において相互間の磁気抵抗を低下させる方向に磁気力が作用し、そのずれ分を修正しようと回転子自体が固定歯車を転回する。固定磁石および回転子磁石の磁極が隣同士相異なるように備えてあり、回転子は固定磁石の磁力線に沿って固定歯車を転回しながら磁極が変わる、また常に固定磁石と回転子磁石とが、回転子磁極間のずれ分が生じるよう各々の磁極配列を有し、回転子歯車と固定歯車とで同期されているため回転子自体は連続して固定歯車を、固定磁石の磁力線に沿って転回され回転体も回転される、よって回転体に固定されている出力回転軸も回転されることを特徴とする磁石による連続回転装置。
【０００６】
【発明の実地の形態】
以下、本発明の形態として実地例を図に基づいて説明する。
【０００７】
【実地例】
図１において、平面状のベースの四隅をカットしその内側に各下方から延びる４本の支柱１５が各、装着され、前記ベースから中心部上方へ延びる出力回転軸１２のベアリング及びベアリングホルダー１３が装着され、その周囲に円筒状で前記平面状ベースに固定された固定歯車用台１４ａを有し、その上部に歯が上面に有する円形状のフェース歯車１４ｂが固定されたところの固定歯車１４と、その中心に出力回転軸１２備えたところの下部固定盤１１と、
【０００８】
その上部へ図１及び図３において、平面状のベースの四隅をカットしその内側に下方から延びる支柱１５に沿って上下されるリニアホルダー２５を装着し、前記ベースにて中央に円形状の穴２２ｅを有し、前記穴２２ｅの円周方向へ等間隔に穴の中心から放射方向に配列され磁極方向がベースの上面方向に向かい且つ隣同士相異なるようベース上に横に装着されたところの台形状または扇形状の横磁石２２ｂと、そのベースと横磁石２２ｂ間にヨーク又は非磁性体からなるスペーサーまたは空隙２２ｄを有し、前記横磁石２２ｂ間に占位し且つ磁極が互いに対向するよう同極とし、且つ前記横磁石２２ｂの上面方向の磁極と同極としてベース上に立設したところの板状または直方体、立法体状等の縦磁石２２ｃとを有して多角形状の反発型磁気回路を構成し磁極間の磁気抵抗を高め、円形状に配列した固定磁石２２を有し、前記ベースの一角にボールネジ４４と対である所のナット２６を有して、前記ベースの中央に設けられてある穴２２ｅに、下部固定盤１１から上方から延びるている固定歯車１４が貫通されており、尚且つ、この固定歯車１４の中心に回転出力軸１２が貫通されているところの可動盤２１と、
【０００９】
その上部へ図１及び図２において、中心部に回転軸３３ｄを有しる円柱状又は角柱状の磁性体または非磁性体のコア３３ａ柱面部上に、接線方向に一定の間隔を有し且つ回転軸３３ｄ方向に沿って設けられた第１磁石用面と、前記第１磁石用面間に占位し半径方向且つ回転軸方向に沿って設けられた第２磁石用溝とを有し、磁極の方向が前記コアの表面方向に沿い且つ前記コアの表面部の磁極が隣同士相異なるようにして前記第１磁石用面に装着した磁石である第１磁石３３ｄと、磁極の方向が前記コアの接線方向に沿い且つ一方の磁極とこの一方側に占位する磁極とが同極となるようにして且つ第１磁石のコア表面部の磁極と同極となる様に前記第２磁石用溝に嵌装した磁石である第２磁石３３ｃとを備えて、多角形状の反発型磁気回路を構成して磁極間の磁気抵抗を高め、回転軸３３ｄまたはコア３３ａに円板３３ｆを有し回転軸３３ｄとコア３３ａを固定し及び歯車３３ｅを備えた回転子３３を、
【００１０】
図１において、円盤で中心に出力回転軸１２が貫通して回転軸ホルダー３４で前記円盤と、出力回転軸１２を固定してあり、前記円盤の中心から放射状に延びた所定の位置に且つ接線方向に間隔を有し、一個または一個以上の回転子３３を各々回転子歯車側の回転軸を前記円盤の中心であるところの、出力回転軸１２方向へ向けて円板に装着されているベアリング及びベアリングホルダー３２を介して円盤下側へ備えたところの回転体３１と、
【００１１】
その上部へ図１において、平面状のベースの四隅をカットしその内側に下方から延びる支柱１５が固定され、前記ベースの中心部に装着されているベアリング及びベアリングホルダー４２を介し、下方から延びている出力回転軸１２が回転自在に備え、ベースの一角にハンドル４３を有しこのハンドル４３とボールネジ４４が連結され、ハンドル４３を回すことにより前記可動盤２１が上方、下方へ移動される。なお移動範囲は上部固定盤４１下の一角の支柱１５に有するストッパー２５ａ及び下部固定盤１１上の一角の支柱１５に有するストッパー２５ｂにより調整される。
【００１２】
図１及び図４において、回転体３１の回転子歯車３３ｅと、固定磁石２２と回転子磁石３３とが、固定歯車１４とで互いに磁気抵抗が高まるように回転子３３磁極間のずれ分を生じさせ噛合させると、この場合、回転子３３の第１磁石３３ｂ１と固定磁石２２の縦磁石２２ｃ１の上部へ、回転子３３の第２磁石３３ｃ１と３３ｃ２の磁極間の約１／２をｘとし、互いに磁気抵抗が高まる様にずれ分ｘを生じさせ噛合させ、上部固定盤４１に有するハンドル４３を回すことのよりボールネジ４４が回転され可動盤２１が上方、下方に移動される、よって固定磁石２２と回転体３１の回転子磁石３３との磁界が遠近される、可動盤２１をハンドル４３で回転させ回転子３３に近ずけると、可動盤２１の固定磁石２２と回転子磁石３３の噛合近傍磁界において、両者間に蓄えられる磁気エネルギーは磁気抵抗の高い部分に集中されるが、つまり回転子磁極と固定磁極の空隙部へ集中される。この磁気抵抗を低下させる方向に磁気力が作用され、回転子第１磁石３３ｂ２と固定磁石の横磁石２２ｂ２との磁気力は吸着で▲１▼矢印方向へ作用され、回転子第１磁石３３ｂ１と固定磁石の横磁石２２ｂ２との磁気力は反発で▲２▼矢印方向へ作用され、回転子第１磁石３３ｂ１と固定磁石の横磁石２２ｂ１との磁気力は吸着で▲３▼矢印方向へ作用され、回転子第１磁石３３ｂ６と固定磁石の横磁石２２ｂ１との磁気力は反発で▲４▼矢印方向へ作用される。この場合、磁気力は磁界の強さや、磁束密度、空気の透磁率、それに空隙部の体積等も関係してくる。回転子３３は磁気抵抗を低下させる方向に磁気力が作用され、そのずれ分ｘを修正しようと回転子３３自体が固定歯車上１４を反時計回り方向へ転回される。
【００１３】
図５において、回転子３３の第１磁石３３Ｃ２と固定磁石の横磁石２２Ｂ２上部へ転回されて、回転子第１磁石３３ｂ３と固定磁石の横磁石２２ｂ３との磁気力は吸着で▲１▼矢印方向へ作用され、回転子第１磁石３３ｂ２と固定磁石の横磁石２２ｂ３との磁気力は反発で▲２▼矢印方向へ作用され、回転子第１磁石３３ｂ２と固定磁石の横磁石２２ｂ２との磁気力は吸着で▲３▼矢印方向へ作用され、回転子第１磁石３３ｂ１と固定磁石の横磁石２２ｂ２との磁気力は反発で▲４▼矢印方向へ作用され、回転子第１磁石３３ｂ１と固定磁石の横磁石２２ｂ１との磁気力は吸着で▲５▼矢印方向へ作用され、回転子第１磁石３３ｂ６と固定磁石の横磁石２２ｂ１との磁気力は反発で▲６▼矢印方向へ作用される。そのずれ分ｘを修正しようと回転子３３自体が固定歯車上１４を反時計回り方向へ転回される。
【００１４】
図６において、回転子３３の第１磁石の３３ｂ２は固定磁石２２の縦磁石２２Ｃ３の上部へ、回転子３３自体は固定歯車１４上を反時計方向へ転回されて、回転子第１磁石３３ｂ３と固定磁石の横磁石２２ｂ３との磁気力は吸着で▲１▼矢印方向へ作用され、回転子第１磁石３３ｂ２と固定磁石の横磁石２２ｂ３との磁気力は反発で▲２▼矢印方向へ作用され、回転子第１磁石３３ｂ２と固定磁石の横磁石２２ｂ２との磁気力は吸着で▲３▼矢印方向へ作用され、回転子第１磁石３３ｂ１と固定磁石の横磁石２２ｂ２との磁気力は反発で▲４▼矢印方向へ作用される。回転子３３は連続して反時計回り方向へ転回される。
【００１５】
また、固定磁石および回転子磁石の磁極が隣同士相異なるように備えてあり、回転子は固定磁石の磁力線に沿って固定歯車を回転しながら磁極が変わる、また固定磁石側は回転子自体が回転することにより固定歯車を移動されるが常に固定磁石と回転子磁石とが、回転子磁石の磁極間の約１／２のずれ分ｘが生じるよう各々の磁極配列を有し、回転子歯車と固定歯車とで同期されているため回転子自体は連続して固定歯車を、固定磁石の磁力線に沿って転回され、よって回転体が回転され、それに貫通固定されている出力回転軸も連続して回転される。
【００１６】
また、上部固定盤４１に有するハンドル４３を回す事により、ボールネジ４４を回転され可動盤２１が上方、下方へ移動され、よって可動盤２１の固定磁石２２と回転子磁石３３の噛合近傍磁界において、両者間に蓄えられる磁気エネルギーはボールネジ４４を回転することにより可動盤２１の固定磁石２２と回転体３１の回転子磁石３３との磁界が遠近される、これにより回転子自体は固定磁石の磁力線に沿って固定歯車を転回される。それに連結されている回転体および出力回転軸は回転始動、回転速度可変、回転停止される。
【００１７】
図７は磁気エネルギーが、ずれ分ｘに対して一定の場合は、回転子第１磁石３３ｂ１と固定磁石の横磁石２２ｂ２との磁気力は吸着で▲１▼矢印方向へ作用され、回転子第１磁石３３ｂ６と固定磁石の横磁石２２ｂ１との磁気力は吸着で▲２▼矢印方向へ作用され、回転子３３は転回方向の磁気力は全く発生されず、したがって回転子３３は転回されず、両磁極間の保持トルクになる。
【００１８】
図８において、図４の回転子の反対方向へずれ分ｘを生じさせ噛合させ、ハンドルを回しボールネジ４４を回転することにより可動盤２１の固定磁石２２と回転体３１の回転子磁石３３との磁気が近ずけると、回転子第１磁石３３ｂ５と固定磁石の横磁石２２ｂ１との磁気力は吸着で▲１▼矢印方向へ作用され、回転子第１磁石３３ｂ６と固定磁石の横磁石２２ｂ１との磁気力は反発で▲２▼矢印方向へ作用され、回転子第１磁石３３ｂ６と固定磁石の横磁石２２ｂ２との磁気力は吸着で▲３▼矢印方向へ作用され、回転子第１磁石３３ｂ１と固定磁石の横磁石２２ｂ２との磁気力は反発で▲４▼矢印方向へ作用され、そのずれ分ｘを修正しようと回転子自体が固定歯車上を時計回り方向へ転回される。
【００１９】
図９および図１、図３において、回転子３３が可動盤２１の固定磁石２２上を回転されると、固定磁石２２は円形状に配列を有し、固定磁石の基端の内円であるところの円周と固定磁石の先端の外円であるところの円周が異なるため、図３の固定磁石２２の横磁石２２ｂは台形状または扇状に有しているため、図９の回転子３３の半径方向に設けられた第２磁石３３ｃを回転子先端側を広くした、くさび状を有して磁束を増し、回転子歯車３３ｅと固定歯車１４とで、回転子磁石３３と固定磁石２２の噛合近傍磁界において相互間の磁気抵抗を高めた磁石による連続回転装置の回転子もされる。
【００２０】
図１０、図１において、回転子３３の第１磁石３３ｂ及び第２磁石３３ｃを回転軸３３ｄ方向に対しへ斜めに装着、嵌装してスキューをかけた回転子３３を有して回転子歯車３３ｅと固定歯車１４とで、回転子３３磁石と固定磁石２２の噛合近傍磁界において固定磁石２２に対して、回転子３３磁石が斜めに有しているため、その回転発生の磁気力が長く作用され、回転子への回転変動、及び回転速度の周期的変動を軽滅した磁石による連続回転装置の回転子もされる。
【００２１】
図１１において、図１０の回転子３３の第２磁石を、くさび状に変えた磁石による連続回転装置の回転子もされる。
【００２２】
図１２において、耐振動のため、第１磁石３３ｂ、第２磁石３３ｃをコア３３ａ内に埋め込んだ磁石による連続回転装置の回転子もされる。
【００２３】
図１３よび図１において、回転子３３が可動盤２１の固定磁石２２上を回転した場合、固定磁石２２は円形状に配列を有し、固定磁石２２の基端の内円であるところの円周と固定磁石２２の先端の外円であるところの円周が異なるため、回転子３３自体に、円錐形状および角錐形状等にテーパーを施し磁束を増し、回転子歯車３３ｅと固定歯車１４とで、回転子３３磁石と固定磁石２２の噛合近傍磁界において相互間の磁気抵抗を高めた回転子３３に変えた磁石による連続回転装置の回転子もされる。なお回転子のテーパーは、可動盤２１の固定磁石外円の円周／固定歯車一周の回転子回転数＝回転子の先端円周。可動盤２１の固定磁石内円の円周／固定歯車一周の回転子回転数＝回転子の其端円周。以上により各々直形を求め。テーパー＝回転子先端径−回転子其端径／回転子長さ。から求められる。
【００２４】
図１４おいて、図１３の回転子３３の第２磁石３３ｃを、くさび状に変えた磁石による連続回転装置の回転子もされる。
【００２５】
図１５おいて、図１３の回転子３３を、スキューをかけた磁石による連続回転装置の回転子もされる。
【００２６】
図１６おいて、図１５の回転子３３の第２磁石３３ｃを、くさび状に変えた磁石による連続回転装置の回転子もされる。
【００２７】
図１７おいて、非磁性体からなる対の円板３３ｆと中心部に非磁性体からなる回転軸３３ｄを有し且つ回転軸２２ｄに固定された歯車３３ｅを備え、前記対の円板３３ｆの対向面に、中心部から放射方向に且つ半径方向に等間隔に設けられた第２磁石用凹溝を有し、磁極の方向が前記円板の接線方向に沿い且つ一方の磁極とこの一方側に占位する磁極とが同極となるようにし前記第２磁石凹溝に嵌装した磁石であるところの第２磁石３３ｃと、前記第２磁石間に且つ回転軸方向に沿って三角柱状等のヨーク３３ｇを取り付けボルト３３ｈにより円板３３ｆに固定し設け、ヨーク３３ｇの表面上の面へ磁極を前記第２磁石の磁極と周縁部外方向に同極とし且つ隣同士相異なるようにして第１磁石３３ｂを装着し三角形状の反発型磁気回路を形成して磁束の磁路を短くして磁極間の磁気抵抗を高め、且つヨーク以外非磁性体で構成し漏れ磁束の少ない磁石による連続回転装置の回転子もされる。この回転子にもスキューをかけたり、第１磁石をくさび状に変えたり、テーパーを施したりもされる。また前記ヨーク２２ｇは非磁性体のスペーサーまたは空隙にもされる。
【００２８】
図１８において、回転子３３の第１磁石３３ｄを板状または立方、直方体状等に変えた磁石による連続回転装置の回転子もされる。
【００２９】
図１９おいて、図３の可動盤の固定磁石２２のヨークまたは非磁性体のスペーサーまたは空隙２２ｂを除いた磁石による連続回転装置の可動盤もされる。
【００３０】
図２０において、図３の可動盤の固定磁石のヨークまたは非磁性体からなるスペーサーまたは空隙２２ｄの下部へ、前記横磁石２２ｂ表面磁極と同磁極を上方向にした第２横磁石２２ｆを設け、隣同士同縦磁石２２ｃの同磁極とで三方向から同極磁極を有し多角形の反発磁気回路を構成し磁極間の磁気抵抗を高めた磁石による連続回転装置の可動盤もされる。
【００３１】
図２１において、図３の可動盤の固定磁石の縦磁石を、三角柱状等のヨーク２２ｄａを有した縦磁石２２ｃａ，２２ｃｂに変え、且つ横磁石２２ｂの下部へ三角柱状等のヨーク２２ｄｂを有して、三角形状の反発磁気回路を備えて磁束の磁路を短くして磁極間の磁気抵抗を高めた磁石による連続回転装置の可動盤もされる。
【００３２】
図２２において、図３の可動盤の固定磁石に可動盤の固定磁石の横磁石及び縦磁石を可動盤中心方向へ斜めに配置してスキューをかけ、回転子歯車と固定歯車とで、回転子磁石と固定磁石の噛合近傍磁界において固定磁石が斜めに有しているため、その回転発生の磁気力が長く作用され、回転子への回転変動、及び回転速度の周期的変動の軽滅した磁石による連続回転装置の可動盤もされる。
【００３３】
同様に図２３、図２４、図２５の可動盤の固定磁石に、各々図１９、図２０、図２１のように各々スキューをかけた磁石による連続回転装置の可動盤もされる。
【００３４】
図１において、テーパーを施した回転子３３を回転体３１に用いた場合、固定磁石２２と可動盤２１と間に、ヨークまたは非磁性体のスペーサーを設け固定磁石２２を傾けることもされる、可動盤２１の固定磁石２２接着面を曲げ固定磁石２２を装着し傾けもされる、また固定磁石の形状や高さ等を変えて前記のヨークまたはスペーサーを除いた固定磁石２２もされる、よって回転子３３磁石と固定磁石２２を平行にし回転子３３磁石と磁石２２の噛合近傍磁界において相互間の磁気抵抗を高めた磁石による連続回転装置の可動盤もされる。
【００３５】
また回転体３１の組み立て寸法を短くされるため回転子３３上部の回転盤を台形状または扇形状の孔を貫き、回転子３３をはめ込みベアリングホルダー３２を短くされた回転体３１もされる、また回転盤をフライホールに変え回転子を備え、回転エネルギーの貯蔵される回転体３１に変えた磁石による連続回転装置の回転体もされる。
【００３６】
上記の磁石による連続回転装置において、出力回転軸１２を延ばし固定歯車１４、可動盤２１、回転体３１を多段に重ねて出力回転の増大される。この磁石による連続回転装置を直列に多段に重ねて、各々出力回転軸１２を継手を介して連結し出力回転の増大される。また、この磁石による連続回転装置を並列に各々出力回転軸に歯車等を介して連結もされる。
【００３７】
上記の磁石による連続回転装置において、回転子３３の第１磁石３３ｄおよび可動盤２１の横固定磁石２２ｄおよび２２ｆは板状または立方、直方体状、かまぼこ状等に変えた回転子３３および可動盤２１もなされる。本発明は公知の磁石形状を使用できるが、それに限定されることなく任意形状の磁石を使用可能である、また、回転子や固定磁石の磁極数や回転盤への回転子構成数、固定歯車一周する回転子の回転数等は寸法に限定されるものでなく、使用目的に応じ決定されるものである。
【００３８】
【発明の効果】上述したように、本発明は、移動可能な機械的回転エネルギーが損失なく取り出され、クリーンな機械的回転エネルギーとして利用されるほか、この装置へ発電機を接続し、電気エネルギーへ転換しても使用される。
【図面の簡単な説明】
【図１】本体の立体図、一部透明図。
【図２】回転子の立体図。
【図３】可動盤の立体図。
【図４】回転発生の説明部分立体図、一部透明図。
【図５】回転発生の説明部分立体図、一部透明図。
【図６】回転発生の説明部分立体図、一部透明図。
【図７】回転発生の説明部分立体図、一部透明図。
【図８】回転発生の説明部分立体図、一部透明図。
【図９】回転子の立体図、一部透明図。
【図１０】回転子の立体図、一部透明図。
【図１１】回転子の立体図、一部透明図。
【図１２】回転子の立体図、一部透明図。
【図１３】テーパーを有する回転子の立体図、一部透明図。
【図１４】テーパーを有する回転子の立体図、一部透明図。
【図１５】テーパー、スキューを有する回転子の立体図、一部透明図。
【図１６】テーパー、スキューを有する回転子の立体図、一部透明図。
【図１７】三角柱状等のヨークを有する回転子の立体図、一部透明図。
【図１８】回転子の立体図、一部透明図。
【図１９】可動盤の立体図。
【図２０】可動盤の立体図。
【図２１】三角形状の反発形磁気回路を有する可動盤の立体図。
【図２２】固定磁石にスキューを有する可動盤の立体図。
【図２３】固定磁石にスキューを有する可動盤の立体図。
【図２４】固定磁石にスキューを有する可動盤の立体図。
【図２５】固定磁石にスキューを有する可動盤の立体図。
【符号の説明】
１１　下部固定盤。
１２　回転出力軸。
１３　出力回転軸用ベアリングホルダー。
１４　固定磁石。
１４ａ　円筒状の固定歯車台。
１４ｂ　フェース歯車。
１５　支柱。
２１　可動盤。
２２　固定磁石。
２２ｂ、２２ｂ１〜２２ｂ１８　横磁石。
２２ｃ、２２ｃ１〜２２ｃ１８　縦磁石。
２２ｃａ　縦磁石を三角柱状等のヨークに装着した片方の磁石。
２２ｃｂ　縦磁石を三角柱状等のヨークに装着したもう片方の磁石。
２２ｄ　ヨークまたは非磁性体のスペーサーまたは空隙。
２２ｄａ　三角柱状等のヨークまたは非磁性体のスペーサーまたは空隙。
２２ｄｂ　三角柱状等のヨークまたは非磁性体のスペーサーまたは空隙。
２２ｅ　可動盤の円形状の穴。
２２ｆ　固定磁石の第２横磁石。
２５　リニアブッシュ。
２５ａ　上限ストッパー。
２５ｂ　下限ストッパー。
２６　ボールネジのナット。
３１　回転体。
３２　ベアリングホルダー。
３３　回転子。
３３ａ　回転子のコア。
３３ｂ、３３ｂ１〜３３ｂ１８　回転子の第１磁石。
３３ｃ１〜３３ｃ１８　回転子の第２磁石。
３３ｄ　回転軸。
３３ｅ　回転子の歯車。
３３ｆ　円盤。
３３ｇ　三角柱状等のヨーク。
３３ｈ　ボルト。
４１　上部固定盤。
４２　出力回転軸用ベアリングホルダー。
４３　ハンドル。
４４　ボールネジ。
【図１】
2004129353.tif 000003
【図２】
2004129353.tif 000004
【図３】
2004129353.tif 000005
【図４】
2004129353.tif 000006
【図５】
2004129353.tif 000007
【図６】
2004129353.tif 000008
【図７】
2004129353.tif 000009
【図８】
2004129353.tif 000010
【図９】
2004129353.tif 000011
【図１０】
2004129353.tif 000012
【図１１】
2004129353.tif 000013
【図１２】
2004129353.tif 000014
【図１３】
2004129353.tif 000015
【図１４】
2004129353.tif 000016
【図１５】
2004129353.tif 000017
【図１６】
2004129353.tif 000018
【図１７】
2004129353.tif 000019
【図１８】
2004129353.tif 000020
【図１９】
2004129353.tif 000021
【図２０】
2004129353.tif 000022
【図２１】
2004129353.tif 000023
【図２２】
2004129353.tif 000024
【図２３】
2004129353.tif 000025
【図２４】
2004129353.tif 000026
【図２５】
2004129353.tif 000027